(57)【要約】【課題】      エンジンの高速運転時においても低速運転時においても、スワール強度を過不足なく適正値に保持して燃焼性能を高める事と、体積効率を高く保持してエンジン出力を高める事とを、両立させる。【解決手段】  吸気ポート４の吸気外回り側空間部分１１に臨ませて、スワール調整用吸気口７を位置させる。流量自動調整弁２１は、エンジンの高速運転時にはその弁開度を小さくして、吸気分岐路８を通って吸気ポート４内の吸気外回り側空間部分１１に流れ込むスワール調整用吸気２２の流量を少なくするのに対して、エンジンの低速運転時にはその弁開度を大きくして、吸気分岐路８を通って吸気ポート４内の吸気外回り側空間部分１１に流れ込むスワール調整用吸気２２の流量を多くするように構成した。【選択図】  図１
2005105928.tif 000002
【特許請求の範囲】
【請求項１】
多気筒エンジンの吸気管(０)を、吸気マニホールド(１)の親管(２)およびこの吸気マニホールド(１)の分流管(３)を経て、各吸気ポート(４)…から各シリンダ室(５)…に連通させ、
て構成した多気筒エンジンの吸気装置において、
前記各吸気ポート(４)…の各ポート入口(６)…に臨む位置で、吸気マニホールド(１)の分流管(３)に各スワール調整用吸気口(７)…を開口し、吸気管(０)と吸気マニホールド(１)の親管(２)との少なくとも一方を、吸気分岐路(８)・各スワール調整用吸気口(７)…・および分流管(３)を介して、各吸気ポート(４)…に連通させ、
前記各シリンダ室(５)…の各シリンダ軸心(９)…から見て、各吸気ポート(４)…の各ポート中心軸線(10)…よりも遠い側に偏倚する各吸気外回り側空間部分(11)…に臨ませて、各スワール調整用吸気口(７)…を位置させ、
前記吸気分岐路(８)と各スワール調整用吸気口(７)…との少なくとも一方に流量自動調整弁(21)を設け、この流量自動調整弁(21)は、エンジンの高速運転時にはその弁開度を小さくして、吸気分岐路(８)を通って各吸気ポート(４)…内の吸気外回り側空間部分(11)…に流れ込むスワール調整用吸気(22)の流量を少なくするのに対して、エンジンの低速運転時にはその弁開度を大きくして、吸気分岐路(８)を通って各吸気ポート(４)…内の吸気外回り側空間部分(11)…に流れ込むスワール調整用吸気(22)の流量を多くするように構成した、
ことを特徴とする多気筒エンジンの吸気装置。
【請求項２】
多気筒エンジンの吸気管(０)を、吸気マニホールド(１)の親管(２)およびこの吸気マニホールド(１)の分流管(３)を経て、各吸気ポート(４)…から各シリンダ室(５)…に連通させ、
て構成した多気筒エンジンの吸気装置において、
前記各吸気ポート(４)…の各ポート入口(６)…に臨む位置で、吸気マニホールド(１)の分流管(３)に各スワール調整用吸気口(７)…を開口し、吸気管(０)と吸気マニホールド(１)の親管(２)との少なくとも一方を、吸気分岐路(８)・各スワール調整用吸気口(７)…・および分流管(３)を介して、各吸気ポート(４)…に連通させ、
前記各シリンダ室(５)…の各シリンダ軸心(９)…から見て、各吸気ポート(４)…の各ポート中心軸線(10)…よりも近い側に偏倚する各吸気内回り側空間部分(12)…に臨ませて、各スワール調整用吸気口(７)…を位置させ、
前記吸気分岐路(８)と各スワール調整用吸気口(７)…との少なくとも一方に流量自動調整弁(23)を設け、この流量自動調整弁(23)は、エンジンの高速運転時にはその弁開度を大きくして、吸気分岐路(８)を通って各吸気ポート(４)…内の吸気内回り側空間部分(12)…に流れ込むスワール調整用吸気(24)の流量を多くするのに対して、エンジンの低速運転時にはその弁開度を小さくして、吸気分岐路(８)を通って各吸気ポート(４)…内の吸気内回り側空間部分(12)…に流れ込むスワール調整用吸気(24)の流量を少なくするように構成した、
ことを特徴とする多気筒エンジンの吸気装置。
【請求項３】
多気筒エンジンの吸気管(０)を、吸気マニホールド(１)の親管(２)およびこの吸気マニホールド(１)の分流管(３)を経て、並列する各外回り側吸気ポート(４Ａ)…および各内回り側吸気ポート(４Ｂ)…から各シリンダ室(５)…に連通させ、
て構成した多気筒エンジンの吸気装置において、
前記各外回り側吸気ポート(４Ａ)…の各ポート入口(６Ａ)…に臨む位置で、吸気マニホールド(１)の分流管(３)に各スワール調整用吸気口(７)…を開口し、吸気管(０)と吸気マニホールド(１)の親管(２)との少なくとも一方を、吸気分岐路(８)・各スワール調整用吸気口(７)…・および分流管(３)を介して、各外回り側吸気ポート(４Ａ)…に連通させ、
前記吸気分岐路(８)と各スワール調整用吸気口(７)…との少なくとも一方に流量自動調整弁(25)を設け、この流量自動調整弁(25)は、エンジンの高速運転時にはその弁開度を小さくして、吸気分岐路(８)を通って各外回り側吸気ポート(４Ａ)…内に流れ込むスワール調整用吸気(26)の流量を少なくするのに対して、エンジンの低速運転時にはその弁開度を大きくして、吸気分岐路(８)を通って各外回り側吸気ポート(４Ａ)…内に流れ込むスワール調整用吸気(26)の流量を多くするように構成した、
ことを特徴とする多気筒エンジンの吸気装置。
【請求項４】
多気筒エンジンの吸気管(０)を、吸気マニホールド(１)の親管(２)およびこの吸気マニホールド(１)の分流管(３)を経て、並列する各外回り側吸気ポート(４Ａ)…および各内回り側吸気ポート(４Ｂ)…から各シリンダ室(５)…に連通させ、
て構成した多気筒エンジンの吸気装置において、
前記各内回り側吸気ポート(４Ｂ)…の各ポート入口(６Ｂ)…に臨む位置で、吸気マニホールド(１)の分流管(３)に各スワール調整用吸気口(７)…を開口し、吸気管(０)と吸気マニホールド(１)の親管(２)との少なくとも一方を、吸気分岐路(８)・各スワール調整用吸気口(７)…・および分流管(３)を介して、各内回り側吸気ポート(４Ｂ)…に連通させ、
前記吸気分岐路(８)と各スワール調整用吸気口(７)…との少なくとも一方に流量自動調整弁(27)を設け、この流量自動調整弁(27)は、エンジンの高速運転時にはその弁開度を大きくして、吸気分岐路(８)を通って各外回り側吸気ポート(４Ａ)…内に流れ込むスワール調整用吸気(28)の流量を多くするのに対して、エンジンの低速運転時にはその弁開度を小さくして、吸気分岐路(８)を通って各内回り側吸気ポート(４Ｂ)…内に流れ込むスワール調整用吸気(28)の流量を少なくするように構成した、
ことを特徴とする多気筒エンジンの吸気装置。
【請求項５】
請求項１・２・３または４に記載の多気筒エンジンの吸気装置において、
前記吸気管(０)と吸気マニホールド(１)の親管(２)との少なくとも一方に対して、１台の前記流量自動調整弁(21)(23)(25)(27)を介して、前記吸気分岐管(８)を接続し、
前記流量自動調整弁(21)(23)(25)(27)は、多気筒エンジンの回転速度を検出する回転速度センサ(29)の回転速度検出値に基づいて弁開度を制御するように構成した、
ことを特徴とする多気筒エンジンの吸気装置。
【請求項６】
請求項１・２・３または４に記載の多気筒エンジンの吸気装置において、
前記流量自動調整弁(21)(23)(25)(27)は、前記各スワール調整用吸気口(７)…を開閉する各差圧作動弁(30)…から成るものであって、多気筒エンジンの回転速度の変化に伴う各スワール調整用吸気口(７)…の上流側と下流側との間の差圧の変化により、各差圧作動弁(30)が開閉作動するように構成した、
ことを特徴とする多気筒エンジンの吸気装置。
【請求項７】
請求項１−６のうちのどれか１項に記載の多気筒エンジンの吸気装置において、
前記吸気分岐路(８)は吸気分岐管(13)…により形成し、この吸気分岐管(13)…は吸気マニホールド(１)の外部空間に設けた、
ことを特徴とする多気筒エンジンの吸気装置。
【請求項８】
請求項１−６のうちのどれか１項に記載の多気筒エンジンの吸気装置において、
前記吸気マニホールド(１)の親管(２)と分流管(３)とに亙る管内部に分岐用仕切り壁(14)を形成し、この分岐用仕切り壁(14)により吸気マニホールド(１)の親管(２)および分流管(３)の管内部空間に前記吸気分岐路(８)を形成した、
ことを特徴とする多気筒エンジンの吸気装置。
【発明の詳細な説明】
【技術分野】
【０００１】
本発明は、多気筒エンジンの吸気装置に関する。
【背景技術】
【０００２】
［  前提構成  ］
本発明の多気筒エンジンの吸気装置は、例えば図１（本発明）に示すように、次の前提構成を有するものを対象とする。
図１は、本発明の多気筒エンジンの吸気装置の実施形態１を示し、水冷縦形ディーゼルエンジンのシリンダヘッドおよび吸気マニホールドの部分の横断平面図である。
【０００３】
多気筒エンジンの吸気管(０)を、吸気マニホールド(１)の親管(２)およびこの吸気マニホールド(１)の分流管(３)を経て、各吸気ポート(４)…から各シリンダ室(５)…に連通させて構成したものである。
【０００４】
［  従来の技術  ］
エンジンの高速運転時においても低速運転時においても、スワール強度を過不足なく適正値に保持して、燃焼性能を高めるための技術としては、従来では次のものがある。
【０００５】
すなわち、吸気ポート内を通過する吸気の流れの方向を制御する吸気流方向制御用の案内板を、吸気ポート内に揺動自在に設ける。この吸気流方向制御用の案内板を、制御装置で制御操作するように構成したものである。  （特開平５−１３３２３１号公報、特開平１０−３１７９７８号公報）
【０００６】
［  従来技術の問題点  ］
上記従来技術では、つぎの問題がある。
［  問題点イ．  エンジンの高速運転時においても低速運転時においても、  スワール強度を過不足なく適正値に保持して、燃焼性能を高める事と、体積効率を高く保持してエンジン出力を高める事とを、両立させることができない。  ］
【０００７】
上記従来技術においては、前記吸気流方向制御用の案内板が、吸気ポートの通路断面積を狭めるうえ、吸気に干渉して通気抵抗になるので、シリンダ室の吸気の体積効率を高く保持できない。このため、スワール強度を適正値に保持する事と、体積効率を高く保持する事とを、両立させる事ができない。
【０００８】
【特許文献１】特開平５−１３３２３１号公報
【特許文献２】特開平１０−３１７９７８号公報
【発明の開示】
【発明が解決しようとする課題】
【０００９】
本発明の課題は、次のようにすることにある。
（イ）．  エンジンの高速運転時においても低速運転時においても、スワール強度を過不足なく適正値に保持して、燃焼性能を高める事と、体積効率を高く保持してエンジン出力を高める事とを、両立させる。
【００１０】
（ロ）．  スワール調整用吸気口の位置または通気断面積を適宜選定することにより、スワールの適正値への設計を簡単で安価にしかも高精度に行える。
（ハ）．  スワール調整用吸気口はシリンダ室の吸気口に対して吸気ポートを介して遠く隔てさせて、このスワール調整用吸気口の位置または通気断面積の製造上の誤差がシリンダ室内のスワールの形成に敏感に影響しにくすることにより、その製造上の許容誤差の幅を拡大して、スワール調整用吸気口の製造コストを引き下げるうえ、スワールを適正値に高精度に得る。
【００１１】
（リ）．  複数の各スワール調整用吸気流の各吸気流量を制御する流量自動調整弁の必要台数を１台のみで済ませることにより、複数のスワール調整用吸気の制御装置の構成を簡単にする。
（ヌ）．  各スワール調整用吸気口を開閉する各差圧作動弁は、各スワール調整用吸気口の上流側と渦流側との差圧の変化を利用して開閉作動させることにより、エンジンの回転速度センサと各流量自動調整弁の駆動用アクチェータを省略できるようにする。
【００１２】
（ル）．  既存のエンジンの吸気装置に対しても、吸気管および吸気マニホールドに対するスワール調整用吸気口と吸気分岐路との外部からの簡単な追加工により、この発明を安価に高精度に実施できるようにする。
（ヲ）．  スワール調整用吸気口と吸気分岐路とは、吸気マニホールド外に露出させないようにすることにより、外部の自然環境や他物の接触からの影響による劣化や損傷を無くして、その耐久性を高める。
【課題を解決するための手段】
【００１３】
本発明の多気筒エンジンの吸気装置は、上記前提構成において、上記課題を解決するために、例えば図１−図１２に示すように、次の特徴構成を追加したことを特徴とする。
【００１４】
○  請求項１の発明．  図１、または図３・図４参照．
図１は、本発明の多気筒エンジンの吸気装置の実施形態１を示し、水冷縦形ディーゼルエンジンのシリンダヘッドおよび吸気マニホールドの部分の横断平面図である。
図３および図４は本発明の多気筒エンジンの吸気装置の実施形態３を示す。図３は水冷縦形ディーゼルエンジンのシリンダヘッドおよび吸気マニホールドの部分の横断平面図、図４は図３の吸気マニホールドおよびシリンダヘッドの要部の縦断正面図である。
【００１５】
この請求項１の発明は、上記前提構成において、次の特徴構成を追加したことを特徴とする。
前記各吸気ポート(４)…の各ポート入口(６)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各吸気ポート(４)…に連通させる。
【００１６】
前記各シリンダ室(５)…の各シリンダ軸心(９)…から見て、各吸気ポート(４)…の各ポート中心軸線(10)…よりも遠い側に偏倚する各吸気外回り側空間部分(11)…に臨ませて、各スワール調整用吸気口(７)…を位置させる。
【００１７】
前記吸気分岐路(８)と各スワール調整用吸気口(７)…との少なくとも一方に流量自動調整弁(21)を設ける。この流量自動調整弁(21)は、エンジンの高速運転時にはその弁開度を小さくして、吸気分岐路(８)を通って各吸気ポート(４)…内の吸気外回り側空間部分(11)…に流れ込むスワール調整用吸気(22)の流量を少なくするのに対して、エンジンの低速運転時にはその弁開度を大きくして、吸気分岐路(８)を通って各吸気ポート(４)…内の吸気外回り側空間部分(11)…に流れ込むスワール調整用吸気(22)の流量を多くするように構成した、  ことを特徴とする。
【００１８】
○  請求項２の発明．  図２、または図５・図６参照．
図２は、本発明の多気筒エンジンの吸気装置の実施形態２を示し、水冷縦形ディーゼルエンジンのシリンダヘッドおよび吸気マニホールドの部分の横断平面図である。
図５および図６は本発明の多気筒エンジンの吸気装置の実施形態４を示す。図５は水冷縦形ディーゼルエンジンのシリンダヘッドおよび吸気マニホールドの部分の横断平面図である。図６は図５の吸気マニホールドおよびシリンダヘッドの要部の縦断正面図である。
【００１９】
この請求項２の発明は、上記前提構成において、次の特徴構成を追加したことを特徴とする。
前記各吸気ポート(４)…の各ポート入口(６)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各吸気ポート(４)…に連通させる。
【００２０】
前記各シリンダ室(５)…の各シリンダ軸心(９)…から見て、各吸気ポート(４)…の各ポート中心軸線(10)…よりも近い側に偏倚する各吸気内回り側空間部分(12)…に臨ませて、各スワール調整用吸気口(７)…を位置させる。
【００２１】
前記吸気分岐路(８)と各スワール調整用吸気口(７)…との少なくとも一方に流量自動調整弁(23)を設ける。この流量自動調整弁(23)は、エンジンの高速運転時にはその弁開度を大きくして、吸気分岐路(８)を通って各吸気ポート(４)…内の吸気内回り側空間部分(12)…に流れ込むスワール調整用吸気(24)の流量を多くするのに対して、エンジンの低速運転時にはその弁開度を小さくして、吸気分岐路(８)を通って各吸気ポート(４)…内の吸気内回り側空間部分(12)…に流れ込むスワール調整用吸気(24)の流量を少なくするように構成した、  ことを特徴とする。
【００２２】
○  請求項３の発明．  図７、または図９・図１０参照．
図７は、本発明の多気筒エンジンの吸気装置の実施形態５を示し、水冷縦形ディーゼルエンジンのシリンダヘッドおよび吸気マニホールドの部分の横断平面図である。
図９および図１０は本発明の多気筒エンジンの吸気装置の実施形態７を示す。図９は水冷縦形ディーゼルエンジンのシリンダヘッドおよび吸気マニホールドの部分の横断平面図、図１０は図９の吸気マニホールドおよびシリンダヘッドの要部の縦断正面図である。
【００２３】
請求項３の発明は、次のように構成したことを特徴とする。
多気筒エンジンの吸気管(０)を、吸気マニホールド(１)の親管(２)およびこの吸気マニホールド(１)の分流管(３)を経て、並列する各外回り側吸気ポート(４Ａ)…および各内回り側吸気ポート(４Ｂ)…から各シリンダ室(５)…に連通させる。
【００２４】
前記各外回り側吸気ポート(４Ａ)…の各ポート入口(６Ａ)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各外回り側吸気ポート(４Ａ)…に連通させる。
【００２５】
前記吸気分岐路(８)と各スワール調整用吸気口(７)…との少なくとも一方に流量自動調整弁(25)を設ける。この流量自動調整弁(25)は、エンジンの高速運転時にはその弁開度を小さくして、吸気分岐路(８)を通って各外回り側吸気ポート(４Ａ)…内に流れ込むスワール調整用吸気(26)の流量を少なくするのに対して、エンジンの低速運転時にはその弁開度を大きくして、吸気分岐路(８)を通って各外回り側吸気ポート(４Ａ)…内に流れ込むスワール調整用吸気(26)の流量を多くするように構成した、  ことを特徴とする。
【００２６】
○  請求項４の発明．  図８、または図１１・図１２参照．
図８は、本発明の多気筒エンジンの吸気装置の実施形態６を示し、水冷縦形ディーゼルエンジンのシリンダヘッドおよび吸気マニホールドの部分の横断平面図である。
図１１および図１２は本発明の多気筒エンジンの吸気装置の実施形態８を示す。図１１は水冷縦形ディーゼルエンジンのシリンダヘッドおよび吸気マニホールドの部分の横断平面図である。図１２は図１１の吸気マニホールドおよびシリンダヘッドの要部の縦断正面図である。
【００２７】
請求項４の発明は、次のように構成したことを特徴とする。
多気筒エンジンの吸気管(０)を、吸気マニホールド(１)の親管(２)およびこの吸気マニホールド(１)の分流管(３)を経て、並列する各外回り側吸気ポート(４Ａ)…および各内回り側吸気ポート(４Ｂ)…から各シリンダ室(５)…に連通させる。
【００２８】
前記各内回り側吸気ポート(４Ｂ)…の各ポート入口(６Ｂ)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各内回り側吸気ポート(４Ｂ)…に連通させる。
【００２９】
前記吸気分岐路(８)と各スワール調整用吸気口(７)…との少なくとも一方に流量自動調整弁(27)を設ける。この流量自動調整弁(27)は、エンジンの高速運転時にはその弁開度を大きくして、吸気分岐路(８)を通って各外回り側吸気ポート(４Ａ)…内に流れ込むスワール調整用吸気(28)の流量を多くするのに対して、エンジンの低速運転時にはその弁開度を小さくして、吸気分岐路(８)を通って各内回り側吸気ポート(４Ｂ)…内に流れ込むスワール調整用吸気(28)の流量を少なくするように構成した、  ことを特徴とする。
【００３０】
○  請求項５の発明．  図１、図２、図７、または図８参照．
図１は、本発明の多気筒エンジンの吸気装置の実施形態１を示し、水冷縦形ディーゼルエンジンのシリンダヘッドおよび吸気マニホールドの部分の横断平面図である。
【００３１】
請求項５の発明は、上記請求項１・２・３または４の発明において、次の特徴構成を追加したことを特徴とする。
前記吸気管(０)と吸気マニホールド(１)の親管(２)との少なくとも一方に対して、１台の前記流量自動調整弁(21)(23)(25)(27)を介して、前記吸気分岐管(８)を接続する。前記流量自動調整弁(21)(23)(25)(27)は、多気筒エンジンの回転速度を検出する回転速度センサ(29)の回転速度検出値に基づいて弁開度を制御するように構成した、  ことを特徴とする。
【００３２】
○  請求項６の発明．  図３・図４、図５・図６、図９・図１０、または図１１・図１２参照．
図３および図４は本発明の多気筒エンジンの吸気装置の実施形態３を示す。図３は水冷縦形ディーゼルエンジンのシリンダヘッドおよび吸気マニホールドの部分の横断平面図、図４は図３の吸気マニホールドおよびシリンダヘッドの要部の縦断正面図である。
【００３３】
請求項６の発明は、上記請求項１・２・３または４の発明において、次の特徴構成を追加したことを特徴とする。
前記流量自動調整弁(21)(23)(25)(27)は、前記各スワール調整用吸気口(７)…を開閉する各差圧作動弁(30)…から成るものであって、多気筒エンジンの回転速度の変化に伴う各スワール調整用吸気口(７)…の上流側と下流側との間の差圧の変化により、各差圧作動弁(30)が開閉作動するように構成した、  ことを特徴とする。
【００３４】
○  請求項７の発明．  図１、図２、図７、または図８参照．
図１は、本発明の多気筒エンジンの吸気装置の実施形態１を示し、水冷縦形ディーゼルエンジンのシリンダヘッドおよび吸気マニホールドの部分の横断平面図である。
【００３５】
請求項７の発明は、上記請求項１・２・３または４の発明において、次の特徴構成を追加したことを特徴とする。
前記吸気分岐路(８)は吸気分岐管(13)…により形成し、この吸気分岐管(13)…は吸気マニホールド(１)の外部空間に設けた、  ことを特徴とする。
【００３６】
○  請求項８の発明．  図３・図４、図５・図６、図９・図１０、または図１１・図１２参照．
図３および図４は本発明の多気筒エンジンの吸気装置の実施形態３を示す。図３は水冷縦形ディーゼルエンジンのシリンダヘッドおよび吸気マニホールドの部分の横断平面図、図４は図３の吸気マニホールドおよびシリンダヘッドの要部の縦断正面図である。
【００３７】
請求項８の発明は、上記請求項１・２・３または４の発明において、次の特徴構成を追加したことを特徴とする。
前記吸気マニホールド(１)の親管(２)と分流管(３)とに亙る管内部に分岐用仕切り壁(14)を形成し、この分岐用仕切り壁(14)により吸気マニホールド(１)の親管(２)および分流管(３)の管内部空間に前記吸気分岐路(８)を形成した、  ことを特徴とする。
【発明の効果】
【００３８】
本発明の多気筒エンジンの吸気装置は、つぎの効果を奏する。
○  請求項１の発明．  図１、または図３・図４参照．
［  効果イ．  エンジンの高速運転時においても低速運転時においても、  ［Ａ］スワール強度を過不足なく適正値に保持して、燃焼性能を高める事と、  ［Ｂ］体積効率を高く保持してエンジン出力を高める事とを、  両立させることができる。  ］
【００３９】
請求項１の発明は、つぎの特徴構成を有する。
前記各吸気ポート(４)…の各ポート入口(６)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各吸気ポート(４)…に連通させる。
【００４０】
前記各シリンダ室(５)…の各シリンダ軸心(９)…から見て、各吸気ポート(４)…の各ポート中心軸線(10)…よりも遠い側に偏倚する各吸気外回り側空間部分(11)…に臨ませて、各スワール調整用吸気口(７)…を位置させる。
【００４１】
前記吸気分岐路(８)と各スワール調整用吸気口(７)…との少なくとも一方に流量自動調整弁(21)を設ける。この流量自動調整弁(21)は、エンジンの高速運転時にはその弁開度を小さくして、吸気分岐路(８)を通って各吸気ポート(４)…内の吸気外回り側空間部分(11)…に流れ込むスワール調整用吸気(22)の流量を少なくするのに対して、エンジンの低速運転時にはその弁開度を大きくして、吸気分岐路(８)を通って各吸気ポート(４)…内の吸気外回り側空間部分(11)…に流れ込むスワール調整用吸気(22)の流量を多くするように構成した。
【００４２】
この特徴構成から、つぎのように作用する。
［Ａ］．  高速運転時においても低速運転時においても、スワール強度を過不足なく適正値に保持する。
【００４３】
（１）．エンジンの高速運転時においては、流量自動調整弁(21)の弁開度が小さくなって、吸気分岐路(８)を通って各吸気ポート(４)…内の吸気外回り側空間部分(11)…に流れ込むスワール調整用吸気(22)の流量が少なくなる（この流量が減るか０になる事）。
【００４４】
このため、吸気ポート(４)内での吸気全体の流速分布は、吸気外回り側空間部分(11)で吸気内回り側空間部分(12)と比べてそれほど速くならないから、シリンダ室(５)内に形成される吸気のスワールの強度は、高速運転時に特有の過剰になることが無く、適正なスワール値に保持される。
【００４５】
（２）．エンジンの低速運転時においては、流速自動調整弁(21)の弁開度が大きくなって、吸気分岐路(８)を通って各吸気ポート(４)…内の吸気外回り側空間部分(11)…に流れ込むスワール調整用吸気(22)の流量が多くなる。
【００４６】
このため、吸気ポート(４)内での吸気全体の流速分布は、吸気外回り側空間部分(11)で吸気内回り側空間部分(12)と比べて充分に速くなるから、シリンダ室(５)内に形成される吸気のスワールの強度は、低速運転時に特有の不足になることが無く、適正なスワール値に保持される。
【００４７】
［Ｂ］．  低速運転時においても高速運転時においても、体積効率を高く保持する。
シリンダ室(５)内のスワールの強度を適正値に制御するための構成としては、吸気マニホールド(１)の分岐管(３)に各スワール調整用吸気口(７)…を開口するものである。
【００４８】
この各スワール調整用吸気口(７)…は、吸気マニホールド(１)の分岐管(３)および各吸気ポート(４)…において、その通路断面積を狭めることも無ければ、吸気に干渉して通気抵抗になることも無いので、シリンダ室(５)の吸気の体積効率を高く保持できる。
【００４９】
［Ｃ］．  スワール強度を適正値に保持する事と、体積効率を高く保持する事とを、両立させる。
上記［Ａ］項および［Ｂ］項で述べたとおり、  エンジンの高速運転時においても低速運転時においても、  ［Ａ］スワール強度を過不足なく適正値に保持して、燃焼性能を高める事と、  ［Ｂ］体積効率を高く保持してエンジン出力を高める事とを、  両立させることができる。
【００５０】
［  効果ロ．  スワール調整用吸気口(７)の位置または通気断面積を適宜選定することにより、上記スワールの適正値への設計を簡単で安価にしかも高精度に行える。  ］
【００５１】
［  効果ハ．  スワール調整用吸気口(７)は、シリンダ室(５)の吸気口(5a)に対して、吸気ポート(４)を介して遠く隔てていることから、このスワール調整用吸気口(７)の位置または通気断面積の製造上の誤差は、シリンダ室(５)内のスワールの形成に敏感に影響しにくい分だけ、その製造上の許容誤差の幅を拡大して、スワール調整用吸気口(７)の製造コストを引き下げられるうえ、スワールを適正値に高精度に得ることができる。  ］
【００５２】
○  請求項２の発明．  図２または図６参照．
請求項２の発明は、つぎの効果を奏する。
［  効果ニ．  エンジンの高速運転時においても低速運転時においても、  ［Ａ］スワール強度を過不足なく適正値に保持して、燃焼性能を高める事と、  ［Ｂ］体積効率を高く保持してエンジン出力を高める事とを、  両立させることができる。  ］
【００５３】
請求項２の発明は、つぎの特徴構成を有する。
前記各吸気ポート(４)…の各ポート入口(６)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各吸気ポート(４)…に連通させる。
【００５４】
前記各シリンダ室(５)…の各シリンダ軸心(９)…から見て、各吸気ポート(４)…の各ポート中心軸線(10)…よりも近い側に偏倚する各吸気内回り側空間部分(12)…に臨ませて、各スワール調整用吸気口(７)…を位置させる。
【００５５】
前記吸気分岐路(８)と各スワール調整用吸気口(７)…との少なくとも一方に流量自動調整弁(23)を設ける。この流量自動調整弁(23)は、エンジンの高速運転時にはその弁開度を大きくして、吸気分岐路(８)を通って各吸気ポート(４)…内の吸気内回り側空間部分(12)…に流れ込むスワール調整用吸気(24)の流量を多くするのに対して、エンジンの低速運転時にはその弁開度を小さくして、吸気分岐路(８)を通って各吸気ポート(４)…内の吸気内回り側空間部分(12)…に流れ込むスワール調整用吸気(24)の流量を少なくするように構成した。
【００５６】
この特徴構成から、つぎのように作用する。
［Ａ］．  高速運転時においても低速運転時においても、スワール強度を過不足なく適正値に保持する。
【００５７】
（１）．エンジンの高速運転時においては、流量自動調整弁(23)の弁開度が大きくなって、吸気分岐路(８)を通って各吸気ポート(４)…内の吸気内回り側空間部分(12)…に流れ込むスワール調整用吸気(22)の流量が多くなる。
【００５８】
このため、吸気ポート(４)内での吸気全体の流速分布は、吸気内回り側空間部分(12)で吸気外回り側空間部分(11)と比べて充分に速くなる分だけ、吸気外回り側空間部分(11)で遅くなるから、シリンダ室(５)内に形成される吸気のスワールの強度は、高速運転時に特有の過剰になることが無く、適正なスワール値に保持される。
【００５９】
（２）．エンジンの低速運転時においては、流速自動調整弁(23)の弁開度が小さくなって、吸気分岐路(８)を通って各吸気ポート(４)…内の吸気内回り側空間部分(12)…に流れ込むスワール調整用吸気(24)の流量が少なくなる（この流量が減るか０になる事）。
【００６０】
このため、吸気ポート(４)内での吸気全体の流速分布は、吸気内回り側空間部分(12)で吸気外回り側空間部分(11)と比べてそれほど速くならない分だけ、吸気外回り側空間部分(11)で比較的速くなるから、シリンダ室(５)内に形成される吸気のスワールの強度は、低速運転時に特有の不足になることが無く、適正なスワール値に保持される。
【００６１】
［Ｂ］．  低速運転時においても高速運転時においても、体積効率を高く保持する。
シリンダ室(５)内のスワールの強度を適正値に制御するための構成としては、吸気マニホールド(１)の分岐管(３)に各スワール調整用吸気口(７)…を開口するものである。
【００６２】
この各スワール調整用吸気口(７)…は、吸気マニホールド(１)の分岐管(３)および各吸気ポート(４)…において、その通路断面積を狭めることも無ければ、吸気に干渉して通気抵抗になることも無いので、シリンダ室(５)の吸気の体積効率を高く保持できる。
【００６３】
［Ｃ］．  スワール強度を適正値に保持する事と、体積効率を高く保持する事とを、両立させる。
上記［Ａ］項および［Ｂ］項で述べたとおり、  エンジンの高速運転時においても低速運転時においても、  ［Ａ］スワール強度を過不足なく適正値に保持して、燃焼性能を高める事と、  ［Ｂ］体積効率を高く保持してエンジン出力を高める事とを、  両立させることができる。
【００６４】
［  効果ホ．  スワール調整用吸気口(７)の位置または通気断面積を適宜選定することにより、上記スワールの適正値への設計を簡単で安価にしかも高精度に行える。  ］
【００６５】
［  効果ヘ．  スワール調整用吸気口(７)は、シリンダ室(５)の吸気口(5a)に対して、吸気ポート(４)を介して遠く隔てていることから、このスワール調整用吸気口(７)の位置または通気断面積の製造上の誤差は、シリンダ室(５)内のスワールの形成に敏感に影響しにくい分だけ、その製造上の許容誤差の幅を拡大して、スワール調整用吸気口(７)の製造コストを引き下げられるうえ、スワールを適正値に高精度に得ることができる。  ］
【００６６】
○  請求項３の発明．  図７、または図９・図１０図参照．
請求項３の発明は、つぎの効果を奏する。
［  効果ト．  上記請求項１の発明の［効果イ］・［効果ロ］および［効果ハ］で述べたのと同様に作用することにより、この請求項１の発明の［効果イ］・［効果ロ］および［効果ハ］と同様の効果を奏する。  ］
【００６７】
請求項３の発明は、つぎの特徴構成を有する。
前記各外回り側吸気ポート(４Ａ)…の各ポート入口(６Ａ)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各外回り側吸気ポート(４Ａ)…に連通させる。
【００６８】
前記吸気分岐路(８)と各スワール調整用吸気口(７)…との少なくとも一方に流量自動調整弁(25)を設ける。この流量自動調整弁(25)は、エンジンの高速運転時にはその弁開度を小さくして、吸気分岐路(８)を通って各外回り側吸気ポート(４Ａ)…内に流れ込むスワール調整用吸気(26)の流量を少なくするのに対して、エンジンの低速運転時にはその弁開度を大きくして、吸気分岐路(８)を通って各外回り側吸気ポート(４Ａ)…内に流れ込むスワール調整用吸気(26)の流量を多くするように構成した。
【００６９】
この請求項３の発明は、上記特徴構成を有することから、上記請求項１の発明の［効果イ］・［効果ロ］および［効果ハ］で述べたのと同様に作用することにより、この請求項１の発明の［効果イ］・［効果ロ］および［効果ハ］と同様の効果を奏する。
【００７０】
○  請求項４の発明．  図８または図１２参照．
請求項４の発明は、つぎの効果を奏する。
［  効果チ．  上記請求項２の発明の［効果ニ］・［効果ホ］および［効果ヘ］で述べたのと同様に作用することにより、この請求項２の発明の［効果ニ］・［効果ホ］および［効果ヘ］と同様の効果を奏する。  ］
【００７１】
請求項４の発明は、つぎの特徴構成を有する。
前記各内回り側吸気ポート(４Ｂ)…の各ポート入口(６Ｂ)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各内回り側吸気ポート(４Ｂ)…に連通させる。
【００７２】
前記吸気分岐路(８)と各スワール調整用吸気口(７)…との少なくとも一方に流量自動調整弁(27)を設ける。この流量自動調整弁(27)は、エンジンの高速運転時にはその弁開度を大きくして、吸気分岐路(８)を通って各外回り側吸気ポート(４Ａ)…内に流れ込むスワール調整用吸気(28)の流量を多くするのに対して、エンジンの低速運転時にはその弁開度を小さくして、吸気分岐路(８)を通って各内回り側吸気ポート(４Ｂ)…内に流れ込むスワール調整用吸気(28)の流量を少なくするように構成した。
【００７３】
この請求項４の発明は、上記特徴構成を有することから、上記請求項２の発明の［効果ニ］・［効果ホ］および［効果ヘ］で述べたのと同様に作用することにより、この請求項２の発明の［効果ニ］・［効果ホ］および［効果ヘ］と同様の効果を奏する。
【００７４】
○  請求項５の発明．  図１、図２、図７、または図８参照．
請求項５の発明は、上記請求項１の発明の［効果イ］・［効果ロ］および［効果ハ］、または上記請求項２の発明の［効果ニ］・［効果ホ］および［効果ヘ］の効果と同様の効果を奏するのに加えて、つぎの効果を奏する。
【００７５】
［  効果リ．  複数の各スワール調整用吸気流(22)(24)(26)(28)の各吸気流量を制御する流量自動調整弁(21)(23)(25)(27)の必要台数は１台のみで済むから、複数のスワール調整用吸気の制御装置の構成が簡単になり、安価に製造できる。  ］
【００７６】
請求項５の発明は、つぎの特徴構成を有する。
前記吸気管(０)と吸気マニホールド(１)の親管(２)との少なくとも一方に対して、１台の前記流量自動調整弁(21)(23)(25)(27)を介して、前記吸気分岐管(８)を接続する。前記流量自動調整弁(21)(23)(25)(27)は、多気筒エンジンの回転速度を検出する回転速度センサ(29)の回転速度検出値に基づいて弁開度を制御するように構成した。
【００７７】
この特徴構成から、複数の各スワール調整用吸気口(７)…を通じて複数の各吸気ポート(４)…に流れ込む複数の各スワール調整用吸気流(22)(24)(26)(28)に対して、これら複数の各スワール調整用吸気流(22)(24)(26)(28)の各吸気流量を制御する流量自動調整弁(21)(23)(25)(27)の必要台数は１台のみで済むから、複数のスワール調整用吸気の制御装置の構成が簡単になり、安価に製造できる。
【００７８】
○  請求項６の発明．  図３・図４、図５・図６、図９・図１０、または図１１・図１２参照．
請求項６の発明は、上記請求項１の発明の［効果イ］・［効果ロ］および［効果ハ］、または上記請求項２の発明の［効果ニ］・［効果ホ］および［効果ヘ］の効果と同様の効果を奏するのに加えて、つぎの効果を奏する。
【００７９】
［  効果ヌ．  各スワール調整用吸気口(７)…を開閉する各差圧作動弁(30)は、各スワール調整用吸気口(７)…の上流側と下流側との差圧の変化を利用して開閉作動するから、エンジンの回転速度センサと各流量自動調整弁(21)(23)(25)(27)の駆動用アクチェータを省略できた分だけ、その構成を簡素化して、安価に実施できる。  ］
【００８０】
請求項６の発明は、つぎの特徴構成を有する。
前記流量自動調整弁(21)(23)(25)(27)は、前記各スワール調整用吸気口(７)…を開閉する各差圧作動弁(30)…から成るものであって、多気筒エンジンの回転速度の変化に伴う各スワール調整用吸気口(７)…の上流側と下流側との間の差圧の変化により、各差圧作動弁(30)が開閉作動するように構成した。
【００８１】
この特徴構成から、各スワール調整用吸気口(７)…を開閉する各差圧作動弁(30)は、各スワール調整用吸気口(７)…の上流側と下流側との差圧の変化を利用して開閉作動するから、エンジンの回転速度センサと各流量自動調整弁(21)(23)(25)(27)の駆動用アクチェータを省略できた分だけ、その構成を簡素化して、安価に実施できる。
【００８２】
○  請求項７の発明．  図１、図２、図７、または図８参照．
請求項７の発明は、上記請求項１の発明の［効果イ］・［効果ロ］および［効果ハ］、または上記請求項２の発明の［効果ニ］・［効果ホ］および［効果ヘ］の効果と同様の効果を奏するのに加えて、つぎの効果を奏する。
【００８３】
［  効果ル．  既存のエンジンの吸気装置に対しても、吸気管(０)および吸気マニホールド(１)に対するスワール調整用吸気口(７)と吸気分岐路(８)との外部からの簡単な追加工により、この請求項７の発明を安価に高精度に実施できる。  ］
【００８４】
請求項７の発明は、つぎの特徴構成を有する。
前記吸気分岐路(８)は吸気分岐管(13)…により形成し、この吸気分岐管(13)…は吸気マニホールド(１)の外部空間に設けた。
【００８５】
この特徴構成から、スワール調整用吸気口(７)も吸気分岐路(８)も、吸気管(０)および吸気マニホールド(１)に対して、外部から簡単に追加工することができる。
これにより、既存のエンジンの吸気装置に対しても、この外部からの簡単な追加工により、この請求項７の発明を安価に高精度に実施することができる。
【００８６】
○  請求項８の発明．  図３・図４、図５・図６、図９・図１０、または図１１・図１２参照．
請求項８の発明は、上記請求項１の発明の［効果イ］・［効果ロ］および［効果ハ］、または上記請求項２の発明の［効果ニ］・［効果ホ］および［効果ヘ］の効果と同様の効果を奏するのに加えて、つぎの効果を奏する。
【００８７】
［  効果ヲ．  スワール調整用吸気口(７)と吸気分岐路(８)とは、吸気マニホールド(１)外に露出させなくて済む分だけ、外部の自然環境や他物の接触からの影響による劣化や損傷を無くして、その耐久性を高める。  ］
【００８８】
請求項８の発明は、つぎの特徴構成を有する。
前記吸気マニホールド(１)の親管(２)と分流管(３)とに亙る管内部に分岐用仕切り壁(14)を形成する。この分岐用仕切り壁(14)により吸気マニホールド(１)の親管(２)および分流管(３)の管内部空間に前記吸気分岐路(８)を形成した。
【００８９】
この特徴構成から、スワール調整用吸気口(７)と吸気分岐路(８)とは、吸気マニホールド(１)内に形成でき、吸気マニホールド(１)外に露出させなくて済む分だけ、外部の自然環境や他物の接触からの影響による劣化や損傷を無くして、その耐久性を高めることができる。
【発明を実施するための最良の形態】
【００９０】
以下、本発明の多気筒エンジンの吸気装置の実施の形態を、図面に基づき説明する。
○  実施形態１．  請求項１・５・７の発明．  図１参照．
図１は、本発明の多気筒エンジンの吸気装置の実施形態１を示し、水冷縦形直列４気筒ディーゼルエンジンのシリンダヘッドおよび吸気マニホールドの部分の横断平面図である。
【００９１】
この図１において、符号(31)はシリンダヘッド、(５)はシリンダ室、(４)は吸気ポート、(１)は吸気マニホールド、(０)は吸気管である。
多気筒エンジンの吸気管(０)を、吸気マニホールド(１)の親管(２)およびこの吸気マニホールド(１)の分流管(３)を経て、各吸気ポート(４)…から各シリンダ室(５)…に連通させる。
【００９２】
前記各吸気ポート(４)…の各ポート入口(６)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各吸気ポート(４)…に連通させる。
【００９３】
前記各シリンダ室(５)…の各シリンダ軸心(９)…から見て、各吸気ポート(４)…の各ポート中心軸線(10)…よりも遠い側に偏倚する各吸気外回り側空間部分(11)…に臨ませて、各スワール調整用吸気口(７)…を位置させる。
【００９４】
前記吸気管(０)または吸気マニホールド(１)の親管(２)と前記吸気分岐路(８)の始端部との間に１台の流量自動調整弁(21)を設ける。この流量自動調整弁(21)は、エンジンの高速運転時にはその弁開度を小さくして、吸気分岐路(８)を通って各吸気ポート(４)…内の吸気外回り側空間部分(11)…に流れ込むスワール調整用吸気(22)の流量を少なくするのに対して、エンジンの低速運転時にはその弁開度を大きくして、吸気分岐路(８)を通って各吸気ポート(４)…内の吸気外回り側空間部分(11)…に流れ込むスワール調整用吸気(22)の流量を多くするように構成した。
【００９５】
前記流量自動調整弁(21)は、多気筒エンジンの回転速度を検出する回転速度センサ(29)の回転速度検出値に基づいて弁開度を制御するように構成した。
前記吸気分岐路(８)は吸気分岐管(13)…により形成し、この吸気分岐管(13)…は吸気マニホールド(１)の外部空間に設けた、ものである。
【００９６】
○  実施形態２．  請求項２・５・７の発明．  図２参照．
この実施形態２は、上記実施形態１（図１）の構成において、前記各スワール調整用吸気口(７)…を開口する位置、および流量自動調整弁(21)のみを、次のように変更したものである。
【００９７】
図２は、本発明の多気筒エンジンの吸気装置の実施形態２を示し、水冷縦形直列４気筒ディーゼルエンジンのシリンダヘッドおよび吸気マニホールドの部分の横断平面図である。
【００９８】
前記各シリンダ室(５)…の各シリンダ軸心(９)…から見て、各吸気ポート(４)…の各ポート中心軸線(10)…よりも近い側に偏倚する各吸気内回り側空間部分(12)…に臨ませて、各スワール調整用吸気口(７)…を位置させる。
【００９９】
前記流量自動調整弁(23)は、エンジンの高速運転時にはその弁開度を大きくして、吸気分岐路(８)を通って各吸気ポート(４)…内の吸気内回り側空間部分(12)…に流れ込むスワール調整用吸気(24)の流量を多くするのに対して、エンジンの低速運転時にはその弁開度を小さくして、吸気分岐路(８)を通って各吸気ポート(４)…内の吸気内回り側空間部分(12)…に流れ込むスワール調整用吸気(24)の流量を少なくするように構成したものである。
【０１００】
○  実施形態３．  請求項１・６・８の発明．  図３・図４参照．
この実施形態３は、上記実施形態１（図１）の構成において、前記吸気分岐路(８)の構造、および流量自動調整弁(21)のみを次のように変更したものである。
【０１０１】
図３および図４は本発明の多気筒エンジンの吸気装置の実施形態３を示す。図３は水冷縦形直列４気筒ディーゼルエンジンのシリンダヘッドおよび吸気マニホールドの部分の横断平面図、図４は図３の吸気マニホールドおよびシリンダヘッドの要部の縦断正面図である。
【０１０２】
前記吸気マニホールド(１)の親管(２)と分流管(３)とに亙る管内部に分岐用仕切り壁(14)を形成する。この分岐用仕切り壁(14)により吸気マニホールド(１)の親管(２)および分流管(３)の管内部空間に前記吸気分岐路(８)を形成した。この分岐用仕切り壁(14)の先端壁面部分に通気溝(33)を、親管(２)の全長に亙って、シリンダヘッド(21)の横側面に臨ませて開口した。
【０１０３】
前記流量自動調整弁(21)は、前記各スワール調整用吸気口(７)…を開閉する各差圧作動弁(30)…から成るものであって、多気筒エンジンの回転速度の変化に伴う各スワール調整用吸気口(７)…の上流側と下流側との間の差圧の変化により、各差圧作動弁(30)が開閉作動するように構成したものである。
【０１０４】
○  実施形態４．  請求項２・６・８の発明．  図５・図６参照．
この実施形態４は、上記実施形態２（図２）の構成において、前記吸気分岐路(８)の構造、および流量自動調整弁(21)のみを次のように変更したものである。
【０１０５】
図５および図６は本発明の多気筒エンジンの吸気装置の実施形態４を示す。図５は水冷縦形ディーゼルエンジンのシリンダヘッドおよび吸気マニホールドの部分の横断平面図である。図６は図５の吸気マニホールドおよびシリンダヘッドの要部の縦断正面図である。
【０１０６】
前記吸気マニホールド(１)の親管(２)と分流管(３)とに亙る管内部に分岐用仕切り壁(14)を形成する。この分岐用仕切り壁(14)により吸気マニホールド(１)の親管(２)および分流管(３)の管内部空間に前記吸気分岐路(８)を形成した。
【０１０７】
前記流量自動調整弁(23)は、前記各スワール調整用吸気口(７)…を開閉する各差圧作動弁(30)…から成るものであって、多気筒エンジンの回転速度の変化に伴う各スワール調整用吸気口(７)…の上流側と下流側との間の差圧の変化により、各差圧作動弁(30)が開閉作動するように構成した。
前記分岐用仕切り壁(14)の先端壁面部分から前記通気溝(33)を省略したものである。
【０１０８】
○  実施形態５．  請求項３・５・７の発明．  図７参照．
この実施形態５は、次のように構成したものである。
図７は、本発明の多気筒エンジンの吸気装置の実施形態５を示し、水冷縦形直列４気筒ディーゼルエンジンのシリンダヘッドおよび吸気マニホールドの部分の横断平面図である。
【０１０９】
この図７において、符号(31)はシリンダヘッド、(５)はシリンダ室、(４Ａ)(４Ｂ)は吸気ポート、(１)は吸気マニホールド、(０)は吸気管である。
多気筒エンジンの吸気管(０)を、吸気マニホールド(１)の親管(２)およびこの吸気マニホールド(１)の分流管(３)を経て、並列する各外回り側吸気ポート(４Ａ)…および各内回り側吸気ポート(４Ｂ)…から各シリンダ室(５)…に連通させる。
【０１１０】
前記各外回り側吸気ポート(４Ａ)…の各ポート入口(６Ａ)…に臨む位置で、吸気マニホールド(１)の分流管(３)に各スワール調整用吸気口(７)…を開口する。吸気管(０)と吸気マニホールド(１)の親管(２)との少なくとも一方を、吸気分岐路(８)・各スワール調整用吸気口(７)…・および分流管(３)を介して、各外回り側吸気ポート(４Ａ)…に連通させる。
【０１１１】
前記吸気管(０)または吸気マニホールド(１)の親管(２)と吸気分岐路(８)の始端部との間に１台の流量自動調整弁(25)を設ける。この流量自動調整弁(25)は、エンジンの高速運転時にはその弁開度を小さくして、吸気分岐路(８)を通って各外回り側吸気ポート(４Ａ)…内に流れ込むスワール調整用吸気(26)の流量を少なくするのに対して、エンジンの低速運転時にはその弁開度を大きくして、吸気分岐路(８)を通って各外回り側吸気ポート(４Ａ)…内に流れ込むスワール調整用吸気(26)の流量を多くするように構成した。
【０１１２】
前記流量自動調整弁(25)は、多気筒エンジンの回転速度を検出する回転速度センサ(29)の回転速度検出値に基づいて弁開度を制御するように構成した。
前記吸気分岐路(８)は吸気分岐管(13)…により形成し、この吸気分岐管(13)…は吸気マニホールド(１)の外部空間に設けたものである。
【０１１３】
○  実施形態６．  請求項４・５・７の発明．  図８参照．
この実施形態６は、上記実施形態５（図７）の構成において、前記各スワール調整用吸気ポート(７)…を開口する位置、および流量自動調整弁(25)のみを、次のように変更したものである。
図８は、本発明の多気筒エンジンの吸気装置の実施形態６を示し、水冷縦形直列４気筒ディーゼルエンジンのシリンダヘッドおよび吸気マニホールドの部分の横断平面図である。
【０１１４】
前記各内回り側吸気ポート(４Ｂ)…の各ポート入口(６Ｂ)…に臨む位置で、吸気マニホールド(１)の分流管(３)に各スワール調整用吸気口(７)…を開口する。吸気管(０)または吸気マニホールド(１)の親管(２)を、流量自動調整弁(27)・吸気分岐路(８)・各スワール調整用吸気口(７)…・および分流管(３)を介して、各内回り側吸気ポート(４Ｂ)…に連通させる。
【０１１５】
前記吸気管(０)または吸気マニホールド(１)の親管(２)と吸気分岐路(８)の始端部との間に、１台の流量自動調整弁(27)を設ける。この流量自動調整弁(27)は、エンジンの高速運転時にはその弁開度を大きくして、吸気分岐路(８)を通って各外回り側吸気ポート(４Ａ)…内に流れ込むスワール調整用吸気(28)の流量を多くするのに対して、エンジンの低速運転時にはその弁開度を小さくして、吸気分岐路(８)を通って各内回り側吸気ポート(４Ｂ)…内に流れ込むスワール調整用吸気(28)の流量を少なくするように構成したものである。
【０１１６】
○  実施形態７．  請求項３・６・８の発明．  図９・図１０参照．
この実施形態７は、上記実施形態５（図７）の構成において、前記吸気分岐路(８)の構造、および流量自動調整弁(25)のみを、次のように変更したものである。
【０１１７】
図９および図１０は本発明の多気筒エンジンの吸気装置の実施形態７を示す。図９は水冷縦形直列４気筒ディーゼルエンジンのシリンダヘッドおよび吸気マニホールドの部分の横断平面図である。  図１０は図９の吸気マニホールドおよびシリンダヘッドの要部の縦断正面図である。
【０１１８】
前記吸気マニホールド(１)の親管(２)と分流管(３)とに亙る管内部に分岐用仕切り壁(14)を形成する。この分岐用仕切り壁(14)により吸気マニホールド(１)の親管(２)および分流管(３)の管内部空間に前記吸気分岐路(８)を形成した。
【０１１９】
前記流量自動調整弁(25)は、前記各スワール調整用吸気口(７)…を開閉する各差圧作動弁(30)…から成るものであって、多気筒エンジンの回転速度の変化に伴う各スワール調整用吸気口(７)…の上流側と下流側との間の差圧の変化により、各差圧作動弁(30)が開閉作動するように構成したものである。。
【０１２０】
○  実施形態８．  請求項４・６・８の発明．  図１１・図１２参照．
この実施形態８は、上記実施形態６（図８）の構成において、次の構成を追加したものである。
図１１および図１２は本発明の多気筒エンジンの吸気装置の実施形態８を示す。図１１は水冷縦形ディーゼルエンジンのシリンダヘッドおよび吸気マニホールドの部分の横断平面図である。図１２は図１１の吸気マニホールドおよびシリンダヘッドの要部の縦断正面図である。
【０１２１】
前記吸気マニホールド(１)の親管(２)と分流管(３)とに亙る管内部に分岐用仕切り壁(14)を形成する。この分岐用仕切り壁(14)により吸気マニホールド(１)の親管(２)および分流管(３)の管内部空間に前記吸気分岐路(８)を形成した。
【０１２２】
前記流量自動調整弁(27)は、前記各スワール調整用吸気口(７)…を開閉する各差圧作動弁(30)…から成るものであって、多気筒エンジンの回転速度の変化に伴う各スワール調整用吸気口(７)…の上流側と下流側との間の差圧の変化により、各差圧作動弁(30)が開閉作動するように構成したものである。。
【産業上の利用可能性】
【０１２３】
本発明は、直列多気筒ディーゼルエンジンの吸気装置などに好適である。
【図面の簡単な説明】
【０１２４】
【図１】図１は、本発明の多気筒エンジンの吸気装置の実施形態１を示し、水冷縦形ディーゼルエンジンのシリンダヘッドおよび吸気マニホールドの部分の横断平面図である。
【図２】図２は、本発明の多気筒エンジンの吸気装置の実施形態２を示し、水冷縦形ディーゼルエンジンのシリンダヘッドおよび吸気マニホールドの部分の横断平面図である。
【０１２５】
【図３】図３および図４は本発明の多気筒エンジンの吸気装置の実施形態３を示す。図３は水冷縦形ディーゼルエンジンのシリンダヘッドおよび吸気マニホールドの部分の横断平面図である。
【図４】図４は図３の吸気マニホールドおよびシリンダヘッドの要部の縦断正面図である。
【図５】図５および図６は本発明の多気筒エンジンの吸気装置の実施形態４を示す。図５は水冷縦形ディーゼルエンジンのシリンダヘッドおよび吸気マニホールドの部分の横断平面図である。
【０１２６】
【図６】図６は図５の吸気マニホールドおよびシリンダヘッドの要部の縦断正面図である。
【図７】図７は、本発明の多気筒エンジンの吸気装置の実施形態５を示し、水冷縦形ディーゼルエンジンのシリンダヘッドおよび吸気マニホールドの部分の横断平面図である。
【図８】図８は、本発明の多気筒エンジンの吸気装置の実施形態６を示し、水冷縦形ディーゼルエンジンのシリンダヘッドおよび吸気マニホールドの部分の横断平面図である。
【０１２７】
【図９】図９および図１０は本発明の多気筒エンジンの吸気装置の実施形態７を示す。図９は水冷縦形ディーゼルエンジンのシリンダヘッドおよび吸気マニホールドの部分の横断平面図である。
【図１０】図１０は図９の吸気マニホールドおよびシリンダヘッドの要部の縦断正面図である。
【０１２８】
【図１１】図１１および図１２は本発明の多気筒エンジンの吸気装置の実施形態８を示す。図１１は水冷縦形ディーゼルエンジンのシリンダヘッドおよび吸気マニホールドの部分の横断平面図である。
【図１２】図１２は図１１の吸気マニホールドおよびシリンダヘッドの要部の縦断正面図である。
【符号の説明】
【０１２９】
０…吸気管、  １…吸気マニホールド、  ２…親管、  ３…分流管、  ４…吸気ポート、  ４Ａ…外回り側吸気ポート、  ４Ｂ…内回り側吸気ポート、  ５…シリンダ室、  ６…ポート入口、  ６Ａ…ポート入口、  ６Ｂ…ポート入口、  ７…スワール調整用吸気口、  ８…吸気分岐路、  ９…シリンダ軸心、  １０…ポート中心軸線、  １１…吸気外回り側空間部分、  １２…吸気内回り側空間部分、  １３…吸気分岐管、  １４…分岐用仕切り壁、  ２１・２３・２５・２７…流量自動調整弁、  ２２・２４・２６・２８…スワール調整用吸気、  ２９…回転速度センサ、  ３０…差圧作動弁。
【図１】
2005105928.tif 000003
【図２】
2005105928.tif 000004
【図３】
2005105928.tif 000005
【図４】
2005105928.tif 000006
【図５】
2005105928.tif 000007
【図６】
2005105928.tif 000008
【図７】
2005105928.tif 000009
【図８】
2005105928.tif 000010
【図９】
2005105928.tif 000011
【図１０】
2005105928.tif 000012
【図１１】
2005105928.tif 000013
【図１２】
2005105928.tif 000014